(57)【特許請求の範囲】
【請求項１】
被検眼の固視を行うための固視視標を投影する投影光学系と、検者が被検眼前眼部を観察する観察モニタを持ち、測定系に対する被検眼のアライメントを行うアライメント手段とを有し、検者の操作を介して被検眼を所定の状態にアライメントし被検眼を測定する眼科装置において、前記投影光学系による固視視標の色光又は点滅速度を切換える固視視標切換手段と、検者が入力した測定開始信号又はアライメント手段によるアライメント完了信号に基づいて、前記固視視標切換手段を動作させ、固視視標の色光又は点滅速度を切換え制御する制御手段と、を備え、固視視標の色光又は点滅速度を切換えることにより被検者に測定移行を伝えることを特徴とする眼科装置。
【発明の詳細な説明】
【０００１】
【産業上の利用分野】
本発明は被検眼を測定する眼科装置に関する。
【０００２】
【従来の技術】
被検眼を測定する眼科装置としては、種々のものが知られている。これらの装置においては、被検眼を観察系を介して観察しながら、所期する状態にアライメントしたうえで測定を行う。この間、被検眼の固視を固定するために被検眼には固視灯を固視させている。
【０００３】
【発明が解決しようとする課題】
しかし、被検者はアライメント中から固視灯を固視し続けており、被検者には測定が始まるタイミングが判らず、アライメント中も常に緊張した状態で待機させることになる。このため被検眼に余分な負担がかかるという問題があった。
また、被検者がアライメント中も常に緊張した状態にあると、測定が始まってから瞬目などが起こりやすくなり、精度の高い測定結果が得にくいという問題があった。
【０００４】
殊にこれらの問題は、被検眼の眼球に向けてレーザ光を収束させて投光し、このレーザ光による水晶体内部の分子による散乱光を受光光学系を介して光電変換素子に導き、光電変換素子の出力信号に基づいて白内障の初期診断を行う装置のように、厳密なアライメントが要求される装置においては重要である。
本発明は、上記のような欠点に鑑み案出されたもので、被検者に測定が始まるタイミングを伝え、被検者に不要な緊張感を与えることを取り除いて測定実行中の固視を安定させる眼科装置を提供することを技術課題とする。
【０００５】
【課題を解決するための手段】
本発明は上記課題を達成するために、以下のような構成を有することを特徴とする。
（１）  被検眼の固視を行うための固視視標を投影する投影光学系と、検者が被検眼前眼部を観察する観察モニタを持ち、測定系に対する被検眼のアライメントを行うアライメント手段とを有し、検者の操作を介して被検眼を所定の状態にアライメントし被検眼を測定する眼科装置において、前記投影光学系による固視視標の色光又は点滅速度を切換える固視視標切換手段と、検者が入力した測定開始信号又はアライメント手段によるアライメント完了信号に基づいて、前記固視視標切換手段を動作させ、固視視標の色光又は点滅速度を切換え制御する制御手段と、を備え、固視視標の色光又は点滅速度を切換えることにより被検者に測定移行を伝えることを特徴とする。
【００１１】
【実施例】
以下、本発明の実施例を図面に基づいて説明する。図１は実施例である水晶体内部の蛋白質組成を測定する装置の概略を示す図である。
１はレーザ光を水晶体に投光するＨｅ−Ｎｅのレーザ光源、２はエキスパンダレンズ、３は集光レンズであり、１〜３は水晶体内部の蛋白質組成を測定するための照射光学系を構成する。４は被検眼、５は水晶体である。
６は固視灯用の点光源であるＬＥＤであり、光源６は緑色とオレンジ色の異なる可視光を発する。光源６の発光色は他の色でも良いが、区別しやすいものが好ましい。７はビームスプリッタであり、６，７は固視視標を投影する投影光学系をなす。
【００１２】
８は結像レンズ、９は絞り、１０はＣＣＤカメラであり、８〜１０は前眼部を観察するための観察光学系を構成する。
１１は結像レンズ、１２はアパーチャ、１３は光電変換素子であり、１１〜１３は受光光学系を構成する。
１４は画像合成回路、１５は演算回路、１６は制御コンピュータ、１７はテレビモニタ、１８は入力手段、１９は記憶手段である。２０は光源６の駆動回路である。
【００１３】
次に、上記装置の動作について説明する。
測定に先立ち、被検者には固視灯としての光源６を固視するように指示するとともに、光源６の色光が緑色からオレンジ色に変化すると測定が実行され、光源６が緑色のときはリラックスするように指示する。
制御コンピュータ１６は、測定開始の信号を受けるまでは、光源６の発光色を緑色に制御する。
図示なき照明光源に照明された被検眼前眼部は、観察光学系の結像レンズ８、絞り９を介してＣＣＤカメラ１０に受像され、テレビモニタ１７に映出される。また、レーザ光源１より出力されたレーザ光は、エキスパンダレンズ２によりその光束を拡げられた後、集光レンズ３により収束光束とされ、被検眼４の水晶体５に斜め方向から照射される。
【００１４】
検者は、テレビモニタ１７に映出された被検眼前眼部像と水晶体５を通るレーザ収束光束を観察しながら、図示なきジョイスティック機構を動かし、測定部位を定める。
測定部位が決定されると、入力手段１８に設けられた測定スイッチを押して測定を開始する。制御コンピュータ１６は測定開始信号が入力されると駆動回路２０に信号を送り、駆動回路２０は光源６の色光を所定の測定実行時間だけオレンジ色になるように駆動する。光源６を固視している被検者は、その色の変化により測定が開始されたことを認識できる。
被検眼４の水晶体５に照射されたレーザ光束は、水晶体５内の蛋白質粒子により散乱され散乱光となり、結像レンズ１１により集光し、測定領域を限定するアパーチャ１２を通過後、光電変換素子１３に入射する。
【００１５】
光電変換素子１３は、入射した散乱光の強度に対応する電気信号が出力され、演算回路１５に入力される。演算回路１５は入力された信号に基づき、散乱光強度の時間的変動の相関関数を求め、この相関関数により制御コンピュータ１６は水晶体内部の蛋白質組成の測定結果を得る。この測定については、例えば、特表平６−５０５６５０号（発明の名称「白内障の発生を検出する方法及び装置」）に記載されるように、散乱光強度の時間的変動の相関関数は、
【数１】
0003547200.tif 000002
の式で表され、この式中のＩｆ（凝縮していない粒子からの散乱光強度）とＩｓ（凝縮している粒子からの散乱光強度）の割合（量）から水晶体内部の蛋白質組成が算出される。
【００１６】
得られた測定結果は、画像合成回路１４により、ＣＣＤカメラ１０から出力される画像と合成されテレビモニタ１７に表示される。測定結果は記憶手段１９によって記憶することができる。
１回の測定が終了すると、制御コンピュータ１６は駆動回路２０を駆動制御して光源６の色光を再び緑色に戻し、この色の変化により被検者は測定が終了したことを認識できる。
【００１７】
以上の実施例は種々の変容が可能である。光源６の色光自体を変化させずに、異なる色光の固視用光源を設け光源の点滅を制御したり、複数のフィルタを用いて色の変化を与えるようにしても良い。また、色光を変化させる代わりにその点滅速度を測定開始時に速くし、測定終了とともに元の速度に戻すように制御するようにしても同様の効果が得られる。
さらに、所定のアライメントが実現された時に自動的にトリガ信号を発する装置の場合は、このアライメントを検出する検出手段の信号を利用し、アライメントが完了または近いことを検出し、光源を制御するようにしても良い。
【００１８】
【発明の効果】
以上説明したように、本発明によれば、被検者に固視灯の変化により測定が始まるタイミングを伝えることができるので、アライメント中における不要な緊張感を与えず、被検者の負担を軽減できる。
また、被検者は測定実行中であることが認識でき、その間は固視灯をより注視することができるので、精度の高い測定が期待できる。
【図面の簡単な説明】
【図１】本実施例の装置の概略を示す構成図である。
【符号の説明】
１  レーザ光源
４  被検眼
５  水晶体
６  光源
１３  光電変換素子
１５  演算回路
１６  制御コンピュータ
２０  駆動回路
【図１】
0003547200.tif 000003